(57)【要約】  【課題】冷蔵庫の仕切壁構成に関し、コストを抑制し、冷蔵庫の品質を確保した冷蔵庫を提供する。  【解決手段】仕切壁５の周縁部近傍には縦方向に一体に前リブ６ａ、後リブ６ｄを形成し、前リブ６ａは貯蔵室の内箱壁面と面一となるように配置するとともに、前リブ６ａには貫通孔６ｂを有しているので、仕切壁５に設けられた前リブ６ａと内箱３との取り付け部の隙間に水分が浸入したとしても、前リブ６ａには貫通孔６ｂを有しているので、侵入した水分は貫通孔６ｂから庫内に排出され、仕切壁５の下方の貯蔵室に水分が移動することなく、水分の浸入による不具合を確実に防ぐことができる。【選択図】図３
2009115369.tif 000002
【特許請求の範囲】
【請求項１】
内箱と外箱との間に発泡断熱材を充填してなり前面開口部を有する断熱箱体と、前記内箱の溝部に取り付けられ前記断熱箱体内を上下方向の複数の部屋に区画する仕切壁とを備え、前記仕切壁の上面に前記仕切壁の上側の前記貯蔵室の壁面の一部を形成するリブを設けるとともに、前記リブの下端部分に、前記リブの外周側に浸入した水分を前記リブの内周側の前記仕切壁の上面に導く貫通孔を形成したことを特徴とする冷蔵庫。
【請求項２】
前記リブの外周側に空間を形成し、前記貫通孔が、前記空間と前記仕切壁の上側の前記貯蔵室とを連通することを特徴とする請求項１に記載の冷蔵庫。
【請求項３】
前記空間を、仕切壁の上面に設けた複数のリブ、若しくは内箱の凹形状で形成したことを特徴とする請求項２に記載の冷蔵庫。
【請求項４】
前記空間の底面を、貫通孔に向かうほど下方に傾斜する傾斜面としたことを特徴とする請求項２または３に記載の冷蔵庫。
【請求項５】
前記仕切壁は分割したものを組み合わせて構成したことを特徴とする請求項１から４のいずれか一項に記載の冷蔵庫。
【発明の詳細な説明】
【技術分野】
【０００１】
本発明は、断熱箱体の内部を複数の部屋に区画する仕切壁を備えた冷蔵庫の仕切壁構成に関するものである。
【背景技術】
【０００２】
この種の冷蔵庫は、断熱箱体内が例えば複数の仕切壁により複数の貯蔵室、すなわち冷蔵室、冷凍室及び野菜室などに仕切られている（例えば、特許文献１参照）。
【０００３】
上記従来の冷蔵庫の仕切壁構造を図４を参照しながら説明する。図４は従来の冷蔵庫における仕切壁の右端部近傍を示す要部拡大断面図である。
【０００４】
図４において、前面開口部を有する断熱箱体１０１は、外箱１０２と内箱１０３との間に発泡断熱材１０４を充填してなり、断熱箱体１０１内に設けた仕切壁１０５により庫内を上下方向の複数の貯蔵室に区画する。仕切壁１０５の内箱１０３と接する取り付けは、内箱に形成した溝１０６に仕切壁１０５の側面部を挿入して固定するとともに、仕切壁１０５に形成したリブ１０６が内箱１０３の壁面と面一となるように組み込まれる。
【０００５】
上記構成により、仕切壁１０５が内箱１０３に取り付けられた状態で、仕切壁１０５と内箱１０３の境界部の見栄えを向上することができるとともに、内箱１０３の上部から伝ってきた水分は庫内側に流れ、仕切壁１０５と内箱１０３の境界部を伝って下部に流れ込まないようにしている。また、仕切壁１０５と内箱１０３の境界部を介して冷気の漏れも防止している。
【特許文献１】特開２０００−１８００４０号公報
【発明の開示】
【発明が解決しようとする課題】
【０００６】
しかしながら、上記従来の構成では、仕切壁１０５に設けられた庫内壁の一部を形成するリブ１０６と内箱１０３との取り付け部の隙間に水分が浸入した場合、隙間をそのまま下方に流れていき、着霜等の問題を引き起こす可能性を有していた。また、仕切壁１０５と内箱１０３との取り付け部の間に発泡断熱材１０４を充填させたものにおいては、浸入した水分が発泡断熱材１０４に接触することにより、発泡断熱材１０４が含水し、発泡断熱材１０４の断熱効果を劣化させるという課題も有していた。このため、仕切壁１０５と内箱１０３との取り付け部に、シール部材を用いる方法もあるが、シール部材の材料費、及び取り付け加工費等のコストの増大を招くという課題を有していた。
【０００７】
本発明は、上記従来の課題を解決するものであり、冷蔵庫の仕切壁構成に関し、コストを抑制し、冷蔵庫の品質を確保した冷蔵庫を提供することを目的とする。
【課題を解決するための手段】
【０００８】
上記目的を達成するために、本発明の冷蔵庫は、内箱と外箱との間に発泡断熱材を充填してなり前面開口部を有する断熱箱体と、前記内箱の溝部に取り付けられ前記断熱箱体内を上下方向の複数の部屋に区画する仕切壁とを備え、前記仕切壁の上面に前記仕切壁の上側の前記貯蔵室の壁面の一部を形成するリブを設けるとともに、前記リブの下端部分に、前記リブの外周側に浸入した水分を前記リブの内周側の前記仕切壁の上面に導く貫通孔を形成したものである。
【０００９】
これにより、水分が仕切壁と内箱の溝部との隙間に浸入したとしても、リブに設けた貫通孔を介して庫内側に流すことで、水分の浸入による不具合を防ぐことができる。
【発明の効果】
【００１０】
本発明の冷蔵庫は、仕切壁と内箱の溝部との隙間への水分浸入による不具合を防ぐことができ、信頼性の高い冷蔵庫を提供することができる。
【発明を実施するための最良の形態】
【００１１】
請求項１に記載の発明は、内箱と外箱との間に発泡断熱材を充填してなり前面開口部を有する断熱箱体と、前記内箱の溝部に取り付けられ前記断熱箱体内を上下方向の複数の部屋に区画する仕切壁とを備え、前記仕切壁の上面に前記仕切壁の上側の前記貯蔵室の壁面の一部を形成するリブを設けるとともに、前記リブの下端部分に、前記リブの外周側に浸入した水分を前記リブの内周側の前記仕切壁の上面に導く貫通孔を形成したものであり、水分が仕切壁と内箱の溝部との隙間に浸入したとしても、リブに設けた貫通孔を介して庫内側に流すことで、水分の浸入による不具合を防ぐことができ、信頼性の高い冷蔵庫を提供することができる。また、仕切壁と内箱の溝部との隙間に発泡断熱材を充填させた場合おいては、浸入した水等の液体が発泡断熱材に接触することにより、発泡断熱材が含水し、その断熱効果を劣化させることを防止することができる。
【００１２】
請求項２に記載の発明は、請求項１に記載の発明において、前記リブの外周側に空間を形成し、前記貫通孔が、前記空間と前記仕切壁の上側の前記貯蔵室とを連通するものであり、水分が仕切壁と内箱の溝部との隙間に大量に浸入したとしても、前記空間の存在により庫内側に排出することができる。
【００１３】
請求項３に記載の発明は、請求項２に記載の発明において、前記空間を、仕切壁の上面に設けた複数のリブ、若しくは内箱の凹形状で形成したものであり、簡素な構造で空間を構成でき、低コスト化を図ることができる。
【００１４】
請求項４に記載の発明は、請求項２または３に記載の発明において、前記空間の底面を、貫通孔に向かうほど下方に傾斜する傾斜面としたものであり、前記空間から貫通孔を介して庫内への排水性を高めることができる。また、金型をスライドさせることによりリブに貫通孔を設けるが、傾斜底面を備えたことにより、浸入した水等の液体が穴の方へ集まりやすくなり、穴の数を最小限に抑えられ金型費の抑制を図ることができる。
【００１５】
請求項５に記載の発明は、請求項１から４のいずれか一項に記載の発明において、前記仕切壁を、分割したものを組み合わせて構成したものであり、金型成形が容易となり、金型費の抑制を図ることができる。また、庫内温度の調整のためのヒーター部材を取り付ける場合においても、仕切壁内に容易に取り付けることが可能となる。
【００１６】
以下、本発明の実施の形態について、図面を参照しながら説明する。なお、この実施の形態によってこの発明が限定されるものではない。
【００１７】
（実施の形態１）
図１は本発明の実施の形態１における冷蔵庫を左右に切断して左側の切断面を右から見た場合の縦断面図、図２は同実施の形態の冷蔵庫における仕切壁を内箱に取り付けた状態の斜視図、図３は同実施の形態の冷蔵庫における仕切壁の右端部近傍を示す要部拡大断面図である。
【００１８】
図１から図３において、冷蔵庫本体には温度帯の異なる貯蔵室があり、冷蔵室、野菜室、冷凍室など所定の貯蔵温度に沿った貯蔵室を配置する。
【００１９】
具体的には、前面開口部を有する冷蔵庫の箱体（断熱箱体）１は、外箱２と内箱３との間に発泡断熱材４を充填してなる。内箱３の溝部に取り付けられ箱体（断熱箱体）１内を上下方向の複数の部屋に区画する仕切壁５は、上部仕切板６と下部仕切板７とを組み合わせて構成している。そして、内箱３の両側面および背面に水平状に連続形成された断面略凹状の嵌合溝８に仕切壁５の周縁部を嵌合している。
【００２０】
上記仕切壁５および仕切体９により箱体１の上部に冷蔵室１０、その下方に野菜室１１、最下部に冷凍室１２を形成している。
【００２１】
そして、仕切壁５の上面の左右と奥の周縁部近傍には縦方向に一体に前リブ６ａ、後リブ６ｄを形成する。前リブ６ａは、仕切壁５の上側の貯蔵室の壁面の一部を形成するものであり、仕切壁５の上側の貯蔵室の内箱壁面と前リブ６ａとが略面一となるように内箱３に設けた溝状の凹部に位置する。
【００２２】
そして、前リブ６ａの下端部分に、前リブ６ａの外周側に浸入した水分を前リブ６ａの内周側の仕切壁５の上面に導く貫通孔６ｂを形成している。また、前リブ６ａの外周側には、前リブ６ａと後リブ６ｄと内箱３の凹部で空間６ｃを形成しており、貫通孔６ｂが、空間６ｃと庫内（仕切壁５の上側の貯蔵室）とを連通している。なお、空間６ｃは後リブ６ｄを用いず、前リブ６ａと内箱３に設けた凹部で形成してもよい。また、空間６ｃの底面６ｅを、貫通孔６ｂに向かうほど下方に傾斜する傾斜面としている。
【００２３】
なお、仕切壁５と内箱３の溝部との隙間に発泡断熱材４の一部を一体に充填発泡させた構造としてもよい。
【００２４】
上記構成により、水分が仕切壁５と内箱３の溝部との隙間に浸入したとしても、前リブ６ａに設けた貫通孔６ｂを介して庫内（仕切壁５の上側の貯蔵室）側に排出され、仕切壁５の下方の貯蔵室に水分が移動することなく、水分の浸入による不具合を防ぐことができる。
【００２５】
また、仕切壁５と内箱３の溝部との隙間に発泡断熱材４を充填させた構造においても、発泡断熱材４の含水による不具合（断熱性能の低下）を防止することができる。
【００２６】
また、前リブ６ａの奥部に空間６ｃを形成し、空間６ｃと庫内を連通する貫通孔６ｂを有しているので、水分が仕切壁５と内箱３の溝部との隙間に大量に浸入したとしても、空間６ｃの存在により庫内側に排出することができる。
【００２７】
また、仕切壁５の周縁部近傍には縦方向に一体に形成した前リブ６ａと後リブ６ｄとで空間６ｃを形成しているので、簡素な構造で空間６ｃを構成でき、低コスト化を図ることができる。
【００２８】
また、空間６ｃの底面６ｅを貫通孔６ｂに向かうほど下方に傾斜する傾斜面としているので、空間６ｃから貫通孔６ｂを介して庫内への排水性を高めることができる。また、金型をスライドさせることにより前リブ６ａに貫通孔６ｂを設けるが、底面６ｅを傾斜面とすることにより、孔の数を最小限に抑えられ金型費の抑制を図ることができる。
【００２９】
また、仕切壁５を、上部仕切板６と下部仕切板７とを組み合わせて構成しているので、金型成形が容易となり、金型費の抑制を図ることができる。また、庫内温度の調整のためのヒーター部材を取り付ける場合においても、仕切壁５内に容易に取り付けることが可能となる。
【産業上の利用可能性】
【００３０】
本発明の冷蔵庫は、仕切壁と内箱の溝部との隙間への水分浸入による不具合を防ぐことができるものであり、冷蔵庫以外の仕切壁を有する冷却貯蔵庫の用途にも適用できる。
【図面の簡単な説明】
【００３１】
【図１】本発明の実施の形態１における冷蔵庫を左右に切断した場合の縦断面図
【図２】同実施の形態の冷蔵庫における仕切壁を内箱に取り付けた状態の斜視図
【図３】同実施の形態の冷蔵庫における仕切壁の右端部近傍を示す要部拡大断面図
【図４】従来の冷蔵庫における仕切壁の右端部近傍を示す要部拡大断面図
【符号の説明】
【００３２】
１    冷蔵庫の箱体
２    外箱
３    内箱
４    発泡断熱材
５    仕切壁
６    上部仕切板
６ａ  前リブ
６ｂ  貫通孔
６ｃ  空間
６ｄ  後リブ
６ｅ  底面
７    下部仕切板
【図１】
2009115369.tif 000003
【図２】
2009115369.tif 000004
【図３】
2009115369.tif 000005
【図４】
2009115369.tif 000006